(57)【要約】【課題】  最適な壁構造を備えた新校倉造の木造建造物を提供すること。【解決手段】  第１木部材２２の一端部と第２木部材２４の一端部とを上下方向に組み合わせて構成される壁構造を備えた新校倉造の木造建造物。第１木部材２２の一端部には第１組付突部が設けられ、第２木部材２４の一端部には第２組付突部２８が設けられ、第１木部材２２の第１組付突部の下側に、下側の第２木部材２４の第２組付突部２６が組み付けられ、この第１木部材２２の第１組付突部の上側に、上側の第２木部材２４の第２組付突部２８が組み付けられる。また、第１木部材２２の第１組付突部と第２木部材２４の第２組付突部２８のとの間には固定用だほ部材が介在され、更に、第１木部材２２間に第１流入阻止部材５８が介在され、第２木部材２４間に第２流入阻止部材が介在される。【選択図】  図４
2008038491.tif 000002
【特許請求の範囲】
【請求項１】
第１木部材の一端部と第２木部材の一端部とを上下方向に組み合わせて構成される壁構造を備えた木造建造物において、
前記第１木部材の一端部には、その上部及び下部に第１上切欠き部及び第１下切欠き部を形成することによって長手方向に延びる第１組付突部が設けられ、前記第１組付突部の長手方向に対して垂直な第１断面の厚みは一端に向けてテーパ状に漸増するとともに、その幅方向に対して垂直な第２断面の厚みは一側端に向けてテーパ状に漸減しており、
また、前記第２木部材の一端部には、その上部及び下部に第２上切欠き部及び第２下切欠き部を形成することによって長手方向に延びる第２組付突部が設けられ、前記第２組付突部の長手方向に対して垂直な第１断面の厚みは一端に向けてテーパ状に漸増するとともに、その幅方向に対して垂直な第２断面の厚みは一側端に向けてテーパ状に漸減しており、
前記第１木部材の前記第１組付突部の下側に、この第１木部材に関連して上下方向に隣接して配設された一対の第２木部材の下側の前記第２木部材の前記第２組付突部が組み付けられ、前記第１木部材の前記第１組付突部の上側に、前記一対の第２木部材の上側の前記第２木部材の前記第２組付突部が組み付けられることを特徴とする新校倉造の木造建造物。
【請求項２】
前記第１木部材の前記第１組付突部の下面には第１下組付凹部が設けられ、下側の前記第２木部材の前記第２組付突部の上面には第２上組付凹部が設けられ、前記第１下組付凹部及び前記第２上組付凹部に固定用下だほ部材が挿入され、また前記第１木部材の前記第１組付突部の上面には第１上組付凹部が設けられ、上側の前記第２木部材の前記第２組付突部の下面には第２下組付凹部が設けられ、前記第１上組付凹部及び前記第２下組付凹部には固定用上だほ部材が挿入されることを特徴とする請求項１に記載の新校倉造の木造建造物。
【請求項３】
前記第１木部材は上下方向に重ねて配設され、上下方向に隣接する一対の第１木部材の下側の前記第１木部材の上面には長手方向に延びる上収容凹部が設けられ、前記一対の第１木部材の上側の前記第１木部材の下面には長手方向に延びる下収容凹部が設けられ、前記第１木部材の前記上収容凹部及び前記下収容凹部に第１流入阻止部材が装着され、また前記第２木部材は上下方向に重ねて配設され、上下方向に隣接する一対の第２木部材の下側の前記第２木部材の上面には長手方向に延びる上収容凹部が設けられ、また前記一対の第２木部材の上側の前記第２木部材の下面には長手方向に延びる下収容凹部が設けられ、前記第２木部材の前記上収容凹部及び前記下収容凹部に第２流入阻止部材が装着されることを特徴とする請求項１に記載の新校倉造の木造建造物。
【請求項４】
前記第１木部材及び前記第２木部材の上面には、前記上収容凹部から外側に向けて下方に傾斜する上傾斜面が設けられ、またそれらの下面には、前記下収容凹部から外側に向けて上方に傾斜する下傾斜面が設けられていることを特徴とする請求項３に記載の新校倉造の木造建造物。
【請求項５】
前記第１木部材の前記第１組付突部の側面には、前記一対の第２木部材の前記上収容凹部及び下収容凹部に対応して第１挿入凹部が設けられ、前記一対の第２木部材の前記上収容凹部及び前記下収容凹部に挿入された前記第２流入阻止部材の端部が前記第１挿入凹部に挿入され、また前記第２木部材の前記第２組付突部の側面には、前記一対の第１木部材の前記上収容凹部及び下収容凹部に対応して第２挿入凹部が設けられ、前記一対の第１木部材の前記上収容凹部及び前記下収容凹部に挿入された前記第１流入阻止部材の端部が前記第２挿入凹部に挿入されることを特徴とする請求項３又は４に記載の新校倉造の木造建造物。
【請求項６】
上下方向に重ねられた複数の前記第１木部材には、これらを上下方向に貫通して伸びる第１連結貫通孔が設けられ、前記第１連結貫通孔に第１通し部材が挿入され、最下位の前記第１木部材と前記第１通し部材の下端部とが第１連結部材により連結固定され、また前記第１木部材の上端部は最上位の前記第１木部材から上方に突出し、この突出端部に設けられた挿入口に第１くさび部材が挿入固定され、複数の前記第１木部材は前記第１連結部材と前記第１くさび部材との間に挟持されることを特徴とする請求項３〜５のいずれかに記載の新校倉造の木造建造物。
【請求項７】
上下方向に重ねられた複数の前記第２木部材には、これらを上下方向に貫通して伸びる第２連結貫通孔が設けられ、前記第２連結貫通孔に第２通し部材が挿入され、最下位の前記第２木部材と前記第２通し部材の下端部とが第２連結部材により連結固定され、また前記第２木部材の上端部は最上位の前記第２木部材から上方に突出し、この突出端部に設けられた挿入口に第２くさび部材が挿入固定され、複数の前記第２木部材は前記第２連結部材と前記第２くさび部材との間に挟持されることを特徴とする請求項３〜５のいずれかに記載の新校倉造の木造建造物。
【請求項８】
第１木部材と第２木部材とを接いで一つの校木、梁又は桁として用いる木造建造物において、
前記第１木部材の一端部には、一側部に第１切欠き部を形成することによって長手方向に延びる第１組付突部が設けられ、前記第１組付突部の先端部は、一端に向けてその上端側が突出する第１くさび状部が設けられ、前記第１くさび状部の下面は、前記一側端に向けて長手方向一端側に傾斜する第１下向き傾斜面が設けられ、また前記第１切欠き部の底部は、他端に向けてその上端側が延びるくさび状に形成され、その底部上面は、前記一側端に向けて長手方向一端側に傾斜する第１上向き傾斜面が設けられており、
また、前記第２木部材の一端部には、一側部に第２切欠き部を形成することによって長手方向に延びる第２組付突部が設けられ、前記第２組付突部の先端部は、一端に向けてその上端側が突出する第２くさび状部が設けられ、前記第２くさび状部の下面は、前記一側端に向けて長手方向一端側に傾斜する第２下向き傾斜面が設けられ、また前記第２切欠き部の底部は、他端に向けてその上端側が延びるくさび状に形成され、その底部上面は、前記一側端に向けて長手方向一端側に傾斜する第２上向き傾斜面が設けられており、
前記第１木部材の一端部と前記第２木部材の一端部とを相互に組み合わせると、前記第１組付突部の前記第１くさび状部の第１下向き傾斜面が前記第２木部材の前記第２切欠き部の前記第２上向き傾斜面に食い込むように作用するとともに、前記第２組付突部の前記第２くさび状部の前記第２下向き傾斜面が前記第１木部材の前記第１切欠き部の前記第１上向き傾斜面に食い込むように作用することを特徴とする木造建造物。
【請求項９】
前記第１木部材の前記第１組付突部の一側面には矩形状の第１凹部が設けられ、前記第１凹部は一対の第１作用面を有し、また前記第２木部材の前記第２組付突部の一側面には矩形状の第２凹部が設けられ、前記第２凹部は一対の第２作用面を有し、前記第１凹部と前記第２凹部とは相互に協働して組付貫通孔を規定し、前記組付貫通孔に組付挿入部材が挿入されることを特徴とする請求項８に記載の木造建造物。
【請求項１０】
第１木部材と第２木部材とを接いで一つの校木、梁又は桁として用いる木造建造物において、
前記第１木部材の一端部には、その下部を除く部位に長手方向に延びる第１組付突部及び第１組付凹部が設けられ、前記第２木部材の一端部には、その下部を除く部位に長手方向に延びる第２組付突部及び第２組付凹部が設けられており、
前記第１木部材の一端部と前記第２木部材の一端部とを相互に組み合わせると、前記第１木部材の第１組付突部が前記第２木部材の前記第２組付凹部に組み付けられるとともに、前記第２木部材の前記第２組付突部が前記第１木部材の前記第１組付凹部に組み付けられることを特徴とする木造建造物。
【請求項１１】
前記第１木部材には、前記第１組付突部から前記第１組付凹部にわたって第１凹部が設けられ、前記第１凹部は第１作用面を有し、また前記第２木部材には、前記第２組付突部から前記第２組付凹部にわたって第２凹部が設けられ、前記第２凹部は第２作用面を有し、前記第１凹部と前記第２凹部とは相互に協働して組付貫通孔を規定し、前記組付貫通孔に組付挿入部材が挿入されることを特徴とする請求項１０に記載の木造建造物。
【請求項１２】
木製プレートを屋根の傾斜方向及び横方向に並べて取り付けた板葺き屋根構造を備えた木造建造物において、
前記板葺き屋根構造は、前記木製プレートを組み合わせて構成される屋根本体部を備え、前記屋根本体部は、隣接する一対の木製プレート間に介在される接続部材を備えており、
前記屋根本体部の上側には、前記一対の木製プレートと前記接続部材との接続部を覆うように木製上プレートが設けられ、前記木製プレート及び前記木製上プレートには、幅方向に間隔をおいて複数の雨水流れ用凹部が設けられており、
前記接続部材の上部は前記一対の木製プレートより上方に突出し、前記木製上プレートの下面には、前記接続部材の上部を受け入れる受入凹部が設けられていることを特徴とする木造建造物。
【請求項１３】
屋根の野地板の上面に杉の皮が敷き詰められるとともに、前記杉の皮を介して、屋根の傾斜方向に伸びる縦部材が横方向に間隔をおいて前記野地板に取り付けられ、更に前記縦部材に、横方向に延びる横部材が屋根の傾斜方向に間隔をおいて取り付けられ、前記屋根本体部が前記横部材に取り付けられることを特徴とする請求項１２に記載の木造建造物。
【発明の詳細な説明】
【技術分野】
【０００１】
本発明は、間伐材などの木材を利用して組み立てる新校倉造の木造建造物に関する。
【背景技術】
【０００２】
木材を用いた木造建造物として、例えば、ログハウスが知られている（例えば、特許文献１参照）。このログハウスは、コンクリート基礎の上に載置固定された土台と、この土台の上に所要の通りに組み立てられた壁部構造と、この壁部構造の上端部に取り付けられた屋根と備えている。壁部構造は、所定方向（例えば、横方向）に延びる第１組木木材の端部と所定方向に対して垂直な方向（例えば、奥行き方向）に延びる第２組木木材の端部とが組み合わされて構成され、第１組木木材及び第２組木木材は組み合わされながら上下方向に積み重ねられて壁部を構成する。
【０００３】
【特許文献１】特開２００３−１１９９３０号公報
【発明の開示】
【発明が解決しようとする課題】
【０００４】
しかしながら、従来の木造建造物には、次の通りの解決すべき問題がある。第１に、壁部構造の組付構造が複雑であるとともに、その組付構造に起因して、第１組木部材と第２組木部材とを簡単に且つ強固に組み付けるのが難しいという問題がある。また、このような壁部構造においては、外部からの雨水の浸入を確実に防止する必要がある。第２に、木造建造物の壁部構造などに間伐材を用いる場合、組木部材を接いで用いるようになるが、簡単に且つ強固に接ぐことができる接手構造の実現が望まれている。第３に、木造建築物の屋根に木製プレートを用いた場合、雨水が屋根の傾斜に沿って流れるように構成する必要がある。
【０００５】
本発明の第１の目的は、最適な壁構造を備えた新校倉造の木造建造物を提供することである。
また、本発明の第２の目的は、二つの木部材を接いで校木、梁又は桁として用いる木造建造物を提供することである。
【０００６】
更に、本発明の第３の目的は、降った雨水を屋根の傾斜に沿って確実に流すことができる木造建造物を提供することである。
【課題を解決するための手段】
【０００７】
本発明の請求項１に記載の新校倉造の木造建造物は、上記第１の目的に対応して、第１木部材の一端部と第２木部材の一端部とを上下方向に組み合わせて構成される壁構造を備えた木造建造物において、
前記第１木部材の一端部には、その上部及び下部に第１上切欠き部及び第１下切欠き部を形成することによって長手方向に延びる第１組付突部が設けられ、前記第１組付突部の長手方向に対して垂直な第１断面の厚みは一端に向けてテーパ状に漸増するとともに、その幅方向に対して垂直な第２断面の厚みは一側端に向けてテーパ状に漸減しており、
また、前記第２木部材の一端部には、その上部及び下部に第２上切欠き部及び第２下切欠き部を形成することによって長手方向に延びる第２組付突部が設けられ、前記第２組付突部の長手方向に対して垂直な第１断面の厚みは一端に向けてテーパ状に漸増するとともに、その幅方向に対して垂直な第２断面の厚みは一側端に向けてテーパ状に漸減しており、
前記第１木部材の前記第１組付突部の下側に、この第１木部材に関連して上下方向に隣接して配設された一対の第２木部材の下側の前記第２木部材の前記第２組付突部が組み付けられ、前記第１木部材の前記第１組付突部の上側に、前記一対の第２木部材の上側の前記第２木部材の前記第２組付突部が組み付けられることを特徴とする。
【０００８】
また、本発明の請求項２に記載の新校倉造の木造建造物では、前記第１木部材の前記第１組付突部の下面には第１下組付凹部が設けられ、下側の前記第２木部材の前記第２組付突部の上面には第２上組付凹部が設けられ、前記第１下組付凹部及び前記第２上組付凹部に固定用下だほ部材が挿入され、また前記第１木部材の前記第１組付突部の上面には第１上組付凹部が設けられ、上側の前記第２木部材の前記第２組付突部の下面には第２下組付凹部が設けられ、前記第１上組付凹部及び前記第２下組付凹部には固定用上だほ部材が挿入されることを特徴とする。
【０００９】
また、本発明の請求項３に記載の新校倉造の木造建造物では、前記第１木部材は上下方向に重ねて配設され、上下方向に隣接する一対の第１木部材の下側の前記第１木部材の上面には長手方向に延びる上収容凹部が設けられ、前記一対の第１木部材の上側の前記第１木部材の下面には長手方向に延びる下収容凹部が設けられ、前記第１木部材の前記上収容凹部及び前記下収容凹部に第１流入阻止部材が装着され、また前記第２木部材は上下方向に重ねて配設され、上下方向に隣接する一対の第２木部材の下側の前記第２木部材の上面には長手方向に延びる上収容凹部が設けられ、また前記一対の第２木部材の上側の前記第２木部材の下面には長手方向に延びる下収容凹部が設けられ、前記第２木部材の前記上収容凹部及び前記下収容凹部に第２流入阻止部材が装着されることを特徴とする。
【００１０】
また、本発明の請求項４に記載の新校倉造の木造建造物では、前記第１木部材及び前記第２木部材の上面には、前記上収容凹部から外側に向けて下方に傾斜する上傾斜面が設けられ、またそれらの下面には、前記下収容凹部から外側に向けて上方に傾斜する下傾斜面が設けられていることを特徴とする。
【００１１】
また、本発明の請求項５に記載の新校倉造の木造建造物では、前記第１木部材の前記第１組付突部の側面には、前記一対の第２木部材の前記上収容凹部及び下収容凹部に対応して第１挿入凹部が設けられ、前記一対の第２木部材の前記上収容凹部及び前記下収容凹部に挿入された前記第２流入阻止部材の端部が前記第１挿入凹部に挿入され、また前記第２木部材の前記第２組付突部の側面には、前記一対の第１木部材の前記上収容凹部及び下収容凹部に対応して第２挿入凹部が設けられ、前記一対の第１木部材の前記上収容凹部及び前記下収容凹部に挿入された前記第１流入阻止部材の端部が前記第２挿入凹部に挿入されることを特徴とする。
【００１２】
また、本発明の請求項６に記載の新校倉造の木造建造物では、上下方向に重ねられた複数の前記第１木部材には、これらを上下方向に貫通して伸びる第１連結貫通孔が設けられ、前記第１連結貫通孔に第１通し部材が挿入され、最下位の前記第１木部材と前記第１通し部材の下端部とが第１連結部材により連結固定され、また前記第１木部材の上端部は最上位の前記第１木部材から上方に突出し、この突出端部に設けられた挿入口に第１くさび部材が挿入固定され、複数の前記第１木部材は前記第１連結部材と前記第１くさび部材との間に挟持されることを特徴とする。
【００１３】
また、本発明の請求項７に記載の新校倉造の木造建造物では、上下方向に重ねられた複数の前記第２木部材には、これらを上下方向に貫通して伸びる第２連結貫通孔が設けられ、前記第２連結貫通孔に第２通し部材が挿入され、最下位の前記第２木部材と前記第２通し部材の下端部とが第２連結部材により連結固定され、また前記第２木部材の上端部は最上位の前記第２木部材から上方に突出し、この突出端部に設けられた挿入口に第２くさび部材が挿入固定され、複数の前記第２木部材は前記第２連結部材と前記第２くさび部材との間に挟持されることを特徴とする。
【００１４】
また、本発明の請求項８記載の木造建造物は、上記第２の目的に対応して、第１木部材と第２木部材とを接いで一つの校木、梁又は桁として用いる木造建造物において、
前記第１木部材の一端部には、一側部に第１切欠き部を形成することによって長手方向に延びる第１組付突部が設けられ、前記第１組付突部の先端部は、一端に向けてその上端側が突出する第１くさび状部が設けられ、前記第１くさび状部の下面は、前記一側端に向けて長手方向一端側に傾斜する第１下向き傾斜面が設けられ、また前記第１切欠き部の底部は、他端に向けてその上端側が延びるくさび状に形成され、その底部上面は、前記一側端に向けて長手方向一端側に傾斜する第１上向き傾斜面が設けられており、
また、前記第２木部材の一端部には、一側部に第２切欠き部を形成することによって長手方向に延びる第２組付突部が設けられ、前記第２組付突部の先端部は、一端に向けてその上端側が突出する第２くさび状部が設けられ、前記第２くさび状部の下面は、前記一側端に向けて長手方向一端側に傾斜する第２下向き傾斜面が設けられ、また前記第２切欠き部の底部は、他端に向けてその上端側が延びるくさび状に形成され、その底部上面は、前記一側端に向けて長手方向一端側に傾斜する第２上向き傾斜面が設けられており、
前記第１木部材の一端部と前記第２木部材の一端部とを相互に組み合わせると、前記第１組付突部の前記第１くさび状部の第１下向き傾斜面が前記第２木部材の前記第２切欠き部の前記第２上向き傾斜面に食い込むように作用するとともに、前記第２組付突部の前記第２くさび状部の前記第２下向き傾斜面が前記第１木部材の前記第１切欠き部の前記第１上向き傾斜面に食い込むように作用することを特徴とする。
【００１５】
また、本発明の請求項９に記載の木造建造物では、前記第１木部材の前記第１組付突部の一側面には矩形状の第１凹部が設けられ、前記第１凹部は一対の第１作用面を有し、また前記第２木部材の前記第２組付突部の一側面には矩形状の第２凹部が設けられ、前記第２凹部は一対の第２作用面を有し、前記第１凹部と前記第２凹部とは相互に協働して組付貫通孔を規定し、前記組付貫通孔に組付挿入部材が挿入されることを特徴とする。
【００１６】
また、本発明の請求項１０に記載の木造建造物は、上記第２の目的に対応して、第１木部材と第２木部材とを接いで一つの校木、梁又は桁として用いる木造建造物において、
前記第１木部材の一端部には、その下部を除く部位に長手方向に延びる第１組付突部及び第１組付凹部が設けられ、前記第２木部材の一端部には、その下部を除く部位に長手方向に延びる第２組付突部及び第２組付凹部が設けられており、
前記第１木部材の一端部と前記第２木部材の一端部とを相互に組み合わせると、前記第１木部材の第１組付突部が前記第２木部材の前記第２組付凹部に組み付けられるとともに、前記第２木部材の前記第２組付突部が前記第１木部材の前記第１組付凹部に組み付けられることを特徴とする。
【００１７】
また、本発明の請求項１１に記載の木造建造物では、前記第１木部材には、前記第１組付突部から前記第１組付凹部にわたって第１凹部が設けられ、前記第１凹部は第１作用面を有し、また前記第２木部材には、前記第２組付突部から前記第２組付凹部にわたって第２凹部が設けられ、前記第２凹部は第２作用面を有し、前記第１凹部と前記第２凹部とは相互に協働して組付貫通孔を規定し、前記組付貫通孔に組付挿入部材が挿入されることを特徴とする。
【００１８】
更に、本発明の請求項１２に記載の木造建造物は、上記第３の目的に対応して、木製プレートを屋根の傾斜方向及び横方向に並べて取り付けた板葺き屋根構造を備えた木造建造物において、
前記板葺き屋根構造は、前記木製プレートを組み合わせて構成される屋根本体部を備え、前記屋根本体部は、隣接する一対の木製プレート間に介在される接続部材を備えており、
前記屋根本体部の上側には、前記一対の木製プレートと前記接続部材との接続部を覆うように木製上プレートが設けられ、前記木製プレート及び前記木製上プレートには、幅方向に間隔をおいて複数の雨水流れ用凹部が設けられており、
前記接続部材の上部は前記一対の木製プレートより上方に突出し、前記木製上プレートの下面には、前記接続部材の上部を受け入れる受入凹部が設けられていることを特徴とする。
【００１９】
更にまた、本発明の請求項１３に記載の木造建造物では、屋根の野地板の上面に杉の皮が敷き詰められるとともに、前記杉の皮を介して、屋根の傾斜方向に伸びる縦部材が横方向に間隔をおいて前記野地板に取り付けられ、更に前記縦部材に、横方向に延びる横部材が屋根の傾斜方向に間隔をおいて取り付けられ、前記屋根本体部が前記横部材に取り付けられることを特徴とする。
【発明の効果】
【００２０】
本発明の請求項１に記載の新校倉造の木造建造物によれば、第１木部材の一端部には第１組付突部が設けられ、第１組付突部の長手方向に対して垂直な厚みは一端に向けてテーパ状に漸増するとともに、その幅方向に対して垂直な厚みは一側端に向けてテーパ状に漸減し、また第２木部材の一端部には第２組付突部が設けられ、第２組付突部の長手方向に対して垂直な厚みは一端に向けてテーパ状に漸増するとともに、その幅方向に対して垂直な厚みは一側端に向けてテーパ状に漸減しているので、第１木部材の第１組付突部の下側に、下側の第２木部材の第２組付突部を組み付け、第１木部材の第１組付突部の上側に、上側の第２木部材の第２組付突部が組み付けることによって、第１木部材と第２木部材とを強固に組み付けることができる。このような構造の新校倉造の木造建造物では、戦後に植林された杉、桧の間伐材を使用することができ、第１木部材及び第２木部材として、寸法が４ｍ材で、８ｃｍ角、１２ｃｍ角、１２ｃｍ×１８ｃｍ、１５ｃｍ×２１ｃｍの規格寸法のもので対応でき、このような間伐材の有効利用を図ることができる。また、このような構造の新校倉造の木造建造物では、ログハウスのような特殊な木工機械を必要とすることなく、全国の大工が使用しているプレナ、ホソ取機などで対応することができ、比較的簡単に建造することができる。
【００２１】
また、本発明の請求項２に記載の新校倉造の木造建造物によれば、第１木部材の第１組付突部の第１下組付凹部及び下側の第２木部材の第２組付突部の第２上組付凹部に固定用下だほ部材が挿入され、また第１木部材の第１組付突部の第１上組付凹部及び上側の第２木部材の第２組付突部の第２下組付凹部に固定用上だほ部材が挿入されるので、第１木部材と第２木部材とをより強固に組み合わせることができる。
【００２２】
また、本発明の請求項３に記載の新校倉造の木造建造物によれば、上下方向に隣接する一対の第１木部材の下側の第１木部材の上収容凹部及び上側の第１木部材の下収容凹部に第１流入阻止部材（所謂、目地）が装着されているので、上下方向に積み重ねられた第１木部材間からの雨水の侵入を、この第１流入阻止部材によって阻止することができる。また、上下方向に隣接する一対の第２木部材の下側の第２木部材の上収容凹部及び上側の第２木部材の下収容凹部に第２流入阻止部材（所謂、目地）が装着されているので、上下方向に積み重ねられた第２木部材間からの雨水の侵入を、この第２流入阻止部材によって阻止することができる。
【００２３】
また、本発明の請求項４に記載の新校倉造の木造建造物によれば、第１木部材（及び第２木部材）の上面には、上収容凹部から外側に向けて下方に傾斜する上傾斜面が設けられ、また第１木部材（及び第２木部材）の下面には、下収容凹部から外側に向けて上方に傾斜する下傾斜面が設けられているので、上下方向に隣接する第１木部材（及び第２木部材）の間には、外側に向けて拡大する空間が規定され、外部からの雨水が第１木部材（及び第２木部材）間に溜まることを防止することができる。
【００２４】
また、本発明の請求項５に記載の新校倉造の木造建造物によれば、第１木部材の第１組付突部の側面に第１挿入凹部が設けられ、一対の第２木部材の上収容凹部及び下収容凹部に挿入された第２流入阻止部材の端部が第１挿入凹部に挿入されるので、第２流入阻止部材の端部を第１木部材に組み付けることができる。また、第２木部材の第２組付突部の側面には第２挿入凹部が設けられ、一対の第１木部材の上収容凹部及び下収容凹部に挿入された第１流入阻止部材の端部が第２挿入凹部に挿入されるので、第１流入阻止部材の端部を第２木部材に組み付けることができる。
【００２５】
また、本発明の請求項６に記載の新校倉造の木造建造物によれば、複数の第１木部材に第１連結貫通孔が設けられ、かかる第１連結貫通孔に第１通し部材が挿入され、最下位の第１木部材と第１通し部材の下端部とが第１連結部材により連結固定され、第１木部材から上方に突出する第１通し部材の突出端部に第１くさび部材が挿入固定されているので、複数の第１木部材を第１連結部材と第１くさび部材との間に強固に挟持することができる。
【００２６】
また、本発明の請求項７に記載の新校倉造の木造建造物によれば、複数の第２木部材に第２連結貫通孔が設けられ、かかる第２連結貫通孔に第２通し部材が挿入され、最下位の第２木部材と第２通し部材の下端部とが第２連結部材により連結固定され、また第２木部材から上方に突出する第２通し部材の突出端部に第２くさび部材が挿入固定されるので、複数の第２木部材を第２連結部材と第２くさび部材との間に強固に挟持することができる。
【００２７】
また、本発明の請求項８記載の木造建造物によれば、第１木部材の一端部の第１組付突部の先端部には第１くさび状部が設けられ、第１くさび状部の下面は、一側端に向けて長手方向一端側に傾斜する第１下向き傾斜面が設けられ、第１切欠き部の上面は、一側端に向けて長手方向一端側に傾斜する第１上向き傾斜面が設けられ、また第２木部材の一端部の第２組付突部の先端部には第２くさび状部が設けられ、第２くさび状部の下面は、一側端に向けて長手方向一端側に傾斜する第２下向き傾斜面が設けられ、第２切欠き部の底部上面は、一側端に向けて長手方向一端側に傾斜する第２上向き傾斜面が設けられているので、第１木部材の一端部と第２木部材の一端部とを相互に組み合わせると、第１組付突部の第１くさび状部が第２木部材の第２切欠き部に食い込むように作用するとともに、第２組付突部の第２くさび状部が第１木部材の第１切欠き部に食い込むように作用し、かくして、第１木部材と第２木部材を強固に接ぐことができる。
【００２８】
また、本発明の請求項９に記載の木造建造物によれば、第１木部材の第１組付突部の一側面に、一対の第１作用面を有する第１凹部が設けられ、また第２木部材の第２組付突部の一側面に、一対の第２作用面を有する第２凹部が設けられ、第１凹部及び第２凹部とは相互に協働して組付貫通孔を規定するので、この組付貫通孔に組付挿入部材を挿入することによって、この組付挿入部材が第１木部材の第１凹部の一対の第１作用面及び第２木部材の第２凹部の一対の第２作用面に作用し、これによって、第１木部材及び第２木部材をより強固に接ぐことができる。
【００２９】
また、本発明の請求項１０に記載の木造建造物によれば、第１木部材の一端部に第１組付突部及び第１組付凹部が設けられ、第２木部材の一端部に第２組付突部及び第２組付凹部が設けられているので、第１木部材の一端部と第２木部材の一端部とを相互に組み合わせると、第１木部材の第１組付突部が第２木部材の第２組付凹部に組み付けられるとともに、第２木部材の第２組付突部が第１木部材の第１組付凹部に組み付けられ、かくして、第１木部材と第２木部材とを強固に接ぐことができる。
【００３０】
また、本発明の請求項１１に記載の木造建造物では、第１木部材には、第１作用面を有する第１凹部が設けられ、第２木部材には、第２作用面を有する第２凹部が設けられ、これら第１凹部及び前記第２凹部は組付貫通孔を規定するので、かかる組付貫通孔に組付挿入部材を挿入することによって、第１木部材と第２木部材とをより強固に接ぐことができる。
【００３１】
更に、本発明の請求項１２に記載の木造建造物によれば、屋根本体部の上側には、一対の木製プレートと接続部材との接続部を覆うように木製上プレートが設けられるので、かかる接続部からの雨水の漏れを防止することができる。また、木製プレート及び木製上プレートには複数の雨水流れ用凹部が設けられているので、これらプレートに降った雨は雨水流れ用凹部に流入して流れ、雨水の流下が容易となる。更に、木製上プレートの下面には、一対の木製プレート間に介在される接続部材の上部を受け入れる受入凹部が設けられているので、この木製上プレートの位置決めを確実に行うことができ、例えば釘を用いて取り付ける場合に、外側から釘が見えないように打ち付けることが可能となる。
【００３２】
更にまた、本発明の請求項１３に記載の木造建造物によれば、屋根の野地板と屋根本体部との間に空間が存在するので、この空間が断熱空間として機能し、建造物の断熱効果を高めることができる。また、野地板の上面に杉の皮が敷き詰められているので、この杉の皮によって、上記空間の湿度調整を行うことが可能となる。
【発明を実施するための最良の形態】
【００３３】
以下、添付図面を参照して、本発明に従う木造建造物の実施形態について説明する。
木造建造物全体の構成
まず、図１及び図２を参照して、図示の木造建造物全体の構成について説明する。図１は、一実施形態の木造建造物を示す正面図であり、図２は、図１の木造建造物の側面図であり、図３は、図２におけるＩＩＩ−ＩＩＩ線による断面図である。
【００３４】
図１〜図３において、図示の木造建造物は新校倉造が適用され、例えば束石基礎構造２の上に建造物本体４が建造されている。この建造物本体４は矩形状の壁部構造６と、この壁部構造６の上端部に組み付けられた屋根構造８とを備え、壁部構造６として、後に詳述する新校倉造が採用されている。
【００３５】
建造物本体４の壁部構造６の一壁部１０（図１において手前側でって、図３において左側の壁部）に入口が設けられ、この入口に引き戸式の開閉扉１２が開閉自在に装着されている。また、壁部構造６の相互に対向する一対の壁部１４，１６（図２において手前側及び奥側であって、図３において下側及び上側の壁部）には窓が設けられ、この窓に引き戸式の窓用ガラス戸１８，２０が装着されている。残りの壁部１７には、引戸、窓などは設けられていない。尚、入口及び窓は、設計者の好みに応じて壁部構造６の適宜の部位に設けることができる。
【００３６】
壁部構造の構成
次に、主として図４〜図１１を参照して、上述した建造物本体４の壁部構造６について説明する。図４は、図３の壁部構造の一部を、図３において矢印Ａで示す方向から見た部分断面図であり、図５は、図３の壁部構造の一部を、図３において矢印Ｂで示す方向から見た部分断面図であり、図６は、図４の壁部構造における第１木部材の重なり部位を拡大して示す部分拡大断面図であり、図７は、図４の壁部構造における第１木部材の一端部を示す部分斜視図であり、図８は、図７の第１木部材の端部を示す正面図であり、図９は、図７の第１木部材の右側面図であり、図１０は、第１木部材の上側に第２木部材を組み付けるときの状態を示す部分斜視図であり、図１１は、第２木部材の上側に第１木部材を組み付けるときの状態を示す部分斜視図である。  
図４及び図５（図４及び図５においては、理解を容易にするために、第１木部材２２及び第２木部材２４の数を少なくして示している）において、この壁部構造６は、第１木部材２２と第２木部材２４とを隅の組手としてのアリ組をダホ打ち込んで組み合わせている。この実施形態では、図３から理解されるように、第１木部材２２は第２木部材２４よりも長く、従って、壁部構造６は図２及び図３において左右方向に長くなっている。第１木部材２２の全長は例えば４ｍ程度に形成され、また第２木部材２４の全長は例えば約３ｍ程度に形成される。第１及び第２木部材２２，２４は、例えば間伐材を製材加工して製作することができ、長さが長いものについては、二つの木部材を後述する如く接ぐことによって製作することができる。
【００３７】
この実施形態では、第１木部材２２及び第２木部材２４の基本的構造は実質上同一で、それらの長さが異なるのみであり、それ故に、以下に第１木部材２２（第２木部材２４）の構成について説明する。図７〜１１をも参照して、図示の第１木部材２２（第２木部材２４）の一端部には、長手方向に延びる第１組付突部２６（第２組付突部２８）が設けられている。このような第１組付突部２６（第２組付突部２８）は、第１木部材２２（第２木部材２４）の一端部の上部及び下部に第１上切欠き部３０（第２上切欠き部３２）及び第１下切欠き部３４（第２下切欠き部３６）を設けることによって形成され、かく形成された第１組付突部２６（第２組付突部２８）は、第１木部材２２（第２木部材２４）の上下方向中間部から長手方向外方に延びている。
【００３８】
第１組付突部２６（第２組付突部２８）は、先端側に向けて、即ち図７及び図８において右端側に向けて（図１０及び図１１において左下側に向けて）厚さがテーパ状に大きくなるように形成されており、従って、第１組付突部２６（第２組付突部２８）の長手方向に対して垂直な第１断面の厚みは、一端に向けて漸増するように構成されている。また、この第１組付突部２６（第２組付突部２８）は、図７及び図８において手前側であって、図１０及び図１１において左下側（図１０及び図１１において右下側）の側端に向けて、即ち図４及び図５に示すように組み合わされた状態において外側に位置する側端に向けて厚さがテーパ状に小さくなるように形成されており、従って、第１組付突部２６（第２組付突部２８）の幅方向に対して垂直な第２断面の厚みは、上記一側端に向けて漸減するように構成されている。
【００３９】
第１木部材２２の第１組付突部２６と第２木部材２４の第２組付突部２８とは、だほ構造により連結されるように構成されている。第１木部材２２（第２木部材２４）の第１組付突部２６（第２組付突部２８）の上面には第１上組付凹部３８（第２上組付凹部４０）が設けられ、またその第１組付突部２６（第２組付突部２８）の下面には第１下組付凹部４２（第２下組付凹部）が設けられている。この実施形態では、第１上組付凹部３８（第２上組付凹部４０）及び第１下組付凹部４２（第２下組付凹部）は断面が正方形状となるように形成されているが、断面が円形状、三角状になるように形成してもよい。後述するように、第１組付突部２６の第１下組付凹部４２と第２組付突部２８の第２上組付凹部４０には固定用下だほ部材４６（図１１参照）（所謂、ダホ）が打ち込まれれ、また第１組付突部２６の第１上組付凹部３８と第２組付突部２８の第２下組付凹部（図示せず）には固定用上だほ部材４８（図１０参照）（所謂、ダホ）が打ち込まれる。
【００４０】
第１木部材２２（第２木部材２４）の上面及び下面には、その幅方向略中央部に、第１組付突部２６（第２組付突部２８）を除いてその一端から他端にわたって長手方向に直線状に延びる上収容凹部５０（５２）及び下収容凹部５４（５６）が設けられている。第１木部材２２（第２木部材２４）は上下方向に重ねて組み立てられ、かく組み立てられた状態においては、上下方向に隣接する下側の第１木部材２２（第２木部材２４）の上収容凹部５０（５２）と上側の第１木部材２２（第２木部材２４）の下収容凹部５４（５６）とが上下方向に整合する。第１木部材２２（第２木部材２４）の上収容凹部５０（５２）に第１流入阻止部材５８（第２流入阻止部材６０）（所謂、目地）が打ち込まれ、かく打ち込まれた第１流入阻止部材５８（第２流入阻止部材６０）の上側部が上側の第１木部材２２（第２機部材２４）の下収容凹部５４（５６）に、図４（図５）に示すように挿入される。この実施形態では、第１木部材２２（第２木部材２４）の上収容凹部５０（５２）に第１流入阻止部材５８（第２流入阻止部材６０）を打ち込んでいるが、このような構成に代えて、木部材の加工によって、第１流入阻止部材５８（第２流入阻止部材６０）を第１木部材２２（第２木部材２４）の上面に一体的に設けるようにしてもよい。
【００４１】
上述した構成に関連して、第１木部材２２（第２木部材２４）の上面には、上収容凹部５０（５２）から上記一側部、即ち図４及び図５に示すように組み付けた状態において外側に位置する側面に向けて下方に傾斜する上傾斜面６２（６４）が設けられている。また、第１木部材２２（第２木部材２４）の下面には、下収容凹部５４（５６）から上記一側部に向けて上方に傾斜する下傾斜面６６（６８）が設けられている。このように構成されるので、図４及び図５に示すように組み付けられた状態においては、上下方向に隣接する一対の第１木部材２２（第２木部材２４）の間隔は、下収容部５４（５６）及び上収容部５０（５２）から上記一側部に向けてテーパ状に拡がっており、このようなテーパ状の空間を設けることによって、雨水が溜まることが回避することができる。
【００４２】
上下方向に隣接する第２木部材２４間に第２流入阻止部材６０が介在されることに関連して、第１木部材２２の第１組付突部２６の側面に第１挿入凹部７０（図７、図８及び図９参照）が設けられ、この第１挿入凹部７０は第１組付突部２６の上面から下面まで伸びている。また、第１木部材２２の上記第１挿入凹部７０に対応して、第２木部材２４の上収容凹部５２の一端から第２組付突部２８まで第２上挿入連結凹部７５が設けれるとともに、その下収容凹部５６の一端から第２組付突部２８まで第２下挿入連結凹部（図示せず）が設けられている。そして、かかる第１挿入凹部７０の中央部に第２流入阻止部材６０が挿入されるとともに、この第２流入阻止部材６０の上側にて第１挿入凹部７０と第２上挿入連結凹部７５との間に第２連結部材８３（図１０参照）が挿入固定され、この第２連結部材８３の上部は第１挿入凹部７０から上方に突出し、またこの第２流入阻止部材６０の下側にて、第１挿入凹部７０と第２下挿入連結凹部（図示せず）との間に、下側の第１木部材２２の第１挿入凹部７０から上方に突出する第２連結部材８３の上部が挿入される。
【００４３】
また、上下方向に隣接する第１木部材２２間に第１流入阻止部材５８が介在されることに関連して、第２木部材２４の第２組付突部２８の側面に第２挿入凹部７９（図１０及び図１１）が設けられ、この第２挿入凹部７９は第２組付突部２８の上面から下面まで伸びている。また、第２木部材２４の上記第２挿入凹部７９に対応して、第１木部材２２の上収容凹部５０の一端から第１組付突部２６まで第１上挿入連結凹部７１が設けれるとともに、その下収容凹部５４の一端から第１組付突部２６まで第１下挿入連結凹部７３が設けられている。そして、かかる第２挿入凹部７１の中央部に第１流入阻止部材５８が挿入されるとともに、この第１流入阻止部材５８の上側にて第２挿入凹部７９と第１上挿入連結凹部７１との間に第１連結部材８１（図１１参照）が挿入固定され、この第１連結部材８１の上部は第２挿入凹部７９から上方に突出し、またこの第１流入阻止部材５８の下側にて、第２挿入凹部７９と第１下挿入連結凹部７３との間に、下側の第２木部材２４の第２挿入凹部７９から上方に突出する第１連結部材８１の上部が挿入される。このように組み合わされるので、第１木部材２２及び第２木部材２４は所謂アリ組されて強固に組み合わされる。
【００４４】
図４及び図５を参照して、壁部構造６の壁部１４，１６においては、第１木部材２２が上下方向に重なるように組み合わされることに関連して、これら第１木部材２２を強固に固定するための第１締結手段７４が設けられている。第１木部材２２の一端部には、上収容凹部５０及び下収容凹部５４に隣接して貫通孔７６が設けられ、第１木部材２２が上下方向に重ね合わされた状態においては、これら貫通孔７６が第１連結貫通孔７８（図４参照）を規定する。第１締結手段７４は細長い第１通し部材８０を備え、この第１通し部材８０が第１連結貫通孔７６を通して挿入される。壁部１４，１６として組み立てた状態において最下位に位置する第１木部材２２には、貫通孔７６に連通する横貫通孔８２が設けられ、また第１通し部材８０の下端部には下貫通孔８４が設けられ、横貫通孔８２及び下貫通孔８４を通して第１連結部材８６が挿入される。第１通し部材８０の上端部は最上位の第１木部材２２から上方に突出し、この突出端部に挿入口８８が設けられ、かかる挿入口８８に第１くさび部材９０が挿入固定される。このように挿入固定した状態では、積み重ねられた第１木部材２２は、第１締結部材７４の第１連結部材８６と第１くさび部材９０との間に挟持され、強固に締結保持される。尚、第１通し部材８０の下端部を第１連結部材８６を介して最下位の第１木部材２２に固定することに代えて、その上端部を連結したと同様に、第１通し部材８０の下端部を最下位の第１木部材２２を通して下方に突出させ、この突出端部に形成した挿入口にくさび部材を挿入固定するようにしてもよい。
【００４５】
また、壁部構造６の壁部１０，１７においては、第２木部材２４が上下方向に重なるように組み合わされることに関連して、これら第２木部材２４を強固に固定するための第２締結手段９２が設けられ、この第２締結手段９２は、第１締結手段７４と同様の構成を有している。第２木部材２４の一端部には、上収容凹部５２及び下収容凹部５６に隣接して貫通孔９４が設けられ、第２木部材２４が上下方向に重ね合わされた状態においては、これら貫通孔９４が第２連結貫通孔９６（図５参照）を規定する。第２締結手段９２は細長い第２通し部材９８を備え、この第２通し部材９８が第２連結貫通孔９６を通して挿入される。壁部１０，１７として組み立てた状態において最下位に位置する第２木部材２２には、貫通孔９４に連通する横貫通孔１００が設けられ、また第２通し部材９８の下端部には下貫通孔１０２が設けられ、横貫通孔１００及び下貫通孔１０２を通して第２連結部材１０４が挿入される。第２通し部材９８の上端部は最上位の第２木部材２４から上方に突出し、この突出端部に挿入口１０６が設けられ、かかる挿入口１０６に第１くさび部材１０８が挿入固定される。このように挿入固定した状態では、積み重ねられた第２木部材２４は、第２締結部材９２の第２連結部材１０４と第２くさび部材１０８との間に挟持され、強固に締結保持される。尚、この第２締結手段９２においても、上述した第１締結手段９０と同様に、第２通し部材９８の下端部を最下位の第２木部材２４を通して下方に突出させ、この突出端部に形成した挿入口にくさび部材を挿入固定するようにしてもよい。
【００４６】
図５に示すように、第１木部材２２を上下方向に強固に連結するために、第１締結手段７４に加えて、だほ構造が作用されている。第１木部材２２には、上下方向に貫通してだほ用貫通孔１１０が設けられ、このだほ用貫通孔１１０にだほ部材１１２が挿入される。だほ部材１１２は、その一端部（図５において下端部）に凹部１１４を有し、その他端部（図５において上端部）に突部１１６を有し、上下方向に重なった状態においては、下側のだほ部材１１２の突部１１６が上側のだほ部材１１２の凹部１１４に係合して上下方向に連結される。このようなだほ部材１１０は、上下方向に重ねられた一対の第１木部材２２の間に位置して両者を固定して相対的な移動を阻止する。
【００４７】
このだほ構造は、第１木部材２２の長手方向に間隔をおいて２個所以上設けることもできる。また、図示してないが、第２木部材２４を上下方向に強固に連結するために、第２締結手段９２に加えて、上述したと同様の構成のだほ構造を採用することができる。
【００４８】
上述した壁部構造４は、例えば、次の通りにして組み立てることができる。図４、図５、図１０及び図１１を参照して、束石基礎構造２の上に壁部構造４を組み付けるには、まず、最下位の第２木部材２４ａ（この第２木部材２４ａは、通常の第２木部材２４の上部半分の形状になっている）を束石基礎構造２の上側に取り付け、この第２木部材２４ａの貫通孔９４に第２通し部材９８を挿入し、第２木部材２４ａの横貫通孔１００及び第２通し部材９８の下貫通孔１０２を通して第２連結部材１０４を挿入固定する。
【００４９】
次いで、第２木部材２４ａの第２組付突部２８ａの上側に、この第２木部材２４ａに対して垂直となるように第１木部材２２を位置付け、第１木部材２２の第１組付突部２６を載置して組み付けて束石基礎構造２の上側に取り付ける。かく組み付ける際には、第２組付突部２８ａの第２上組付凹部４０に固定用下だほ部材４６の下部を挿入し、かく挿入した状態にて、第１木部材２２の第１組付突部２６の第１下組付凹部４２に固定用下だほ部材４６の上部が挿入されるように組み付ける。そして、かく組み付けた第１木部材２２の貫通孔７６に第１通し部材８０を挿入し、第１木部材２２の横貫通孔８２及び第１通し部材８０の下貫通孔８４を通して第１連結部材８６を挿入固定する。
【００５０】
このようにして最下位の第１木部材２２及び第２木部材２４ａの取付けが行われ、このように組み付けられた第１木部材２２に第２木部材２２を組み付けるときには、図１０に示すように行われる。即ち、第１木部材２２の第１組付突部２６の第１上組付凹部３８に固定用上だほ部材４８を挿入し、また第２木部材２４ａ（２４）の上収容凹部５２に第２流入阻止部材６０を挿入し、この第２流入阻止部材６０の一端部を第１組付突部２６の第１挿入凹部７０（図８参照）に挿入し、この第２流入阻止部材６０の上側に第２連結部材８３を装着する。そして、このような状態にて、第２木部材２４の貫通孔９４に第２通し部材９８を挿通させながら下側の第２木部材２４に載置する。かく載置すると、図１０から理解されるように、第１木部材２２の第１組付突部２６の上側にこの第２木部材２４の第２組付突部２８が組み付けられ、第１組付突部２６の第１上組付凹部３８に挿入された固定用上だほ部材４８の上部が第２木部材２４の第２組付突部２８の第２下組付凹部に挿入され、第２流入阻止部材６０の上部が第２木部材２４の下収容凹部５６に挿入され、また第２連結部材８３の上部が上側の第２木部材２４の第２下挿入連結凹部（図示せず）に挿入され、このようにして下側の第２木部材２４の上側に上側の第２木部材２４が載置される。
【００５１】
また、このように組み付けられた第２木部材２４ａ（２４）に第１木部材２２を組み付けるときには、図１１に示すように行われる。即ち、第２木部材２４ａ（２４）の第２組付突部２８の第２上組付凹部４０に固定用下だほ部材４６を挿入し、また第１木部材２２の上収容凹部５０に第１流入阻止部材５８を挿入し、この第１流入阻止部材５８の一端部を第２組付突部２８の第２挿入凹部（図示せず）に挿入し、この第１流入阻止部材５８の上側に第１連結部材８１を装着する。そして、このような状態にて、第１木部材２２の貫通孔７６に第１通し部材８０を挿通させながら下側の第１木部材２２に載置する。かく載置すると、図１１から理解されるように、第２木部材２４ａ（２４）の第２組付突部２８の上側にこの第１木部材２２の第１組付突部２６が組み付けられ、第２組付突部２８の第２上組付凹部４０に挿入された固定用下だほ部材４６の上部が第１木部材２２の第１組付突部２６の第１下組付凹部４２（図８参照）に挿入され、、第１流入阻止部材５８の上部が第１木部材２２の下収容凹部５４に挿入され、また第１連結部材８１の上部が上側の第１木部材２２の第１下挿入連結凹部７３に挿入され、このようにして下側の第１木部材２２の上側に上側の第１木部材２２が載置される。
【００５２】
このようにして最上位の第２木部材２４を組み付けた後、最上位の第２木部材２４から上方に突出する突出端部の挿入口１０６に第２くさび部材１０８を挿入固定する。その後、最上位の第１木部材２２ａ（この第１木部材２２ａは、通常の第１木部材２２の下部半分の形状になっている）を組み付けた後、最上位の第１木部材２２ａから上方に突出する突出端部の挿入口８８に第１くさび部材９０を挿入固定し、このようにして新校倉造の壁部構造４を所要の通りに組み付けることができる。
【００５３】
尚、上述した実施形態では、第１木部材２２及び第２木部材２４の一端部に関する構成について説明したが、それらの他端部の構成もそれらの一端部と同様に構成されており、従って、それらの他端部も上述したと同様にして組み付けられる。
【００５４】
木部材の接ぎ構造の一形態
次ぎに、図１２〜図１４を参照して、木部材の接ぎ構造の一形態について説明する。図１２は、木部材の接ぎ構造の一部を示す部分斜視図であり、図１３は、相互に接続される一対の木部材の一部を示す平面図であり、図１４は、図１２の次ぎ構造を分解して示す分解斜視図である。
【００５５】
図１２〜図１４において、図示の形態では、第１木部材２０２と第２部材２０４とを長手方向に接ぐのに接ぎ構造２０６が採用されている。この実施形態では、第１木部材２０２と第２木部材２０４は実質上同一に形成され、図１３及び図１４から理解されるように、第１木部材２０２を反対側にすることによって第２木部材２０４として用いることができる。
【００５６】
第１木部材２０２（第２木部材２０４）の一端部には一側端部、具体例では図１３において下側であって、図１４において手前側の側端部（図１３において上側であって、図１４において背面側の側端部）に第１切欠き部２０８（第２切欠き２１０部）を形成することによって第１組付突部２１２（第２組付突部２１４）が設けられ、この第１組付突部２１２（第２組付突部２１４）は第１木部材２０２（第２木部材２０４）の一端他側部から長手方向に延びている。この第１組付突部２１０（第２組付部材２１２）の先端部はくさび状に形成され、第１くさび状部２１６（第２くさび状部２１８）は、上端側が一端、この具体例では図１２〜図１４において右端（図１２〜図１４において左端）に向けて突出するように構成されているとともに、この第１くさび状部２１６（第２くさび状部２１８）の下面は、上記一側端に向けて長手方向一端側に傾斜する第１下向き傾斜面２２０（第２下向き傾斜面２２２）に形成されており、この第１下向き傾斜面２２０（第２下向き傾斜面２２２）は、第１木部材２０２（第２木部材２０４）の一側面側からは見えないが、他側面側からは見えるようになる。
【００５７】
また、第１木部材２０２（第２木部材２０４）の第１切欠き部２０８（第２切欠き部２１０）の底部は、他端、この具体例では図１２〜図１４において左端（図１２〜図１４において右端）に向けてその上端側が延びるくさび状に形成され、この第１切欠き部２０８（第２切欠き部２１０）の底部上面は、上記一側端に向けて長手方向一端側に傾斜する第１上向き傾斜面２２４（第２上向き傾斜面２２６）が設けられている。
【００５８】
この実施形態では、第１木部材２０２の第１組付突部２１２の形状は、第２木部材２０４の第２切欠き部２１０の形状に対応し、その第１くさび状部２１６の第１下向き傾斜面２２０の傾斜は、第２切欠き部２１０の第２上向き傾斜面２２６の傾斜に対応しており、また第２木部材２０４の第２組付突部２１４の形状は、第１木部材２０２の第１切欠き部２０８の形状に対応し、その第２くさび状部２１８の第２下向き傾斜面２２２の傾斜は、第１切欠き部２０８の第１上向き傾斜面２２４の傾斜に対応している。
【００５９】
この第１木部材２０２（第２木部材２０４）の第１組付突部２１２（第２組付突部２１４）の一側面には第１凹部２２８（第２凹部２３０）が設けられ、この第１凹部２２８（第２凹部２３０）は、第１木部材２０２（第２木部材２０４）の上面から下面まで延びている。第１凹部２２８（第２凹部２３０）は断面が矩形状に形成され、両端に一対の第１作用面２３２（第２作用面２３４）が設けられている。
【００６０】
第１木部材２０２及び第２木部材２０４を後述するように組み合わせると、第１木部材２０２の第１凹部２２８と第２木部材２０４の第２凹部２３０とが相互に協働して組付貫通孔２４０（図１２）を規定する。この組付貫通孔２４０は断面形状が矩形状となり、第１及び第２組付突部２１２，２１４の一方の第１及び第２作用面２３２，２３４が片側の作用面として機能し、第１及び第２組付突部２１２，２１４の他方の第１及び第２作用面２３２，２３４が他側の作用面として機能する。
【００６１】
接ぎ構造２０６は、更に、組付貫通孔２４０に挿入固定される組付挿入部材２４４を備え、組付挿入部材２４４の断面形状は、組付貫通孔２４０に対応して矩形状に形成されている。
【００６２】
上述した接ぎ構造２０６では、第１木部材２０２及び第２木部材２０４は、次のようにして接合される。まず、第１木部材２０２に対して第２木部材２０４を長手方向に相対的に移動させて第１木部材２０２の一端部と第２木部材２０４の一端部とを相互に組み合わせる。かく組み合わせると、第１木部材２０２の第１組付突部２１２が第２木部材２０４の第２切欠き部２１０に組み合わされるとともに、第２木部材２０４の第２組付突部２１４が第１木部材２０２の第１切欠き部２０８に組み合わされ、第１組付突部２１２の第１下向き傾斜面２２０が第２切欠き部２１０の第２上向き傾斜面２２６に食い込むように作用するとともに、第２組付突部２１４の第２下向き傾斜面２２２が第１切欠き部２０８の第１上向き傾斜面２２４に食い込むように作用し、第１木部材２０２と第２木部材２０４とを確実に組み合わせることができ、かく組み合わせると、第１木部材２０２の第１凹部２２８と第２木部材２０４の第２凹部２３０とは組付貫通孔２５４０を規定する。
【００６３】
次いで、組付貫通孔２４０に組付挿入部材２４４を挿入固定する。かくすると、組付挿入部材２４４の片側面が第１及び第２凹部２２８，２３０の片側の第１及び第２作用面２３２，２３４に作用するとともに、その他側面が第１及び第２凹部２２８，２３０の他側の第１及び第２作用面２３２，２３４に作用し、かかる組付挿入部材２４４の作用によって、第１組付突部２１２の第１下向き傾斜面２２０が第２切欠き部２１０の第２上向き傾斜面２２６により強く食い込むように作用するとともに、第２組付突部２１４の第２下向き傾斜面２２２が第１切欠き部２０８の第１上向き傾斜面２２４により強く食い込むように作用し、このようにして第１木部材２０２と第２木部材２０４とをより確実に組み合わせることができる。
【００６４】
上述したように接合された木部材は、図１〜図１１の壁部構造６における第１木部材２２及び／又は第２木部材２４として、即ち校木として用いることができ、校木に限定されず、木造建造物の梁、桁などとしても用いることができる。
【００６５】
木部材の接ぎ構造の他形態
次いで、図１５〜図１７を参照して、木部材の接ぎ構造の他の形態について説明する。図１５は、木部材の他の形態の接ぎ構造の一部を示す部分斜視図であり、図１６は、図１５の接ぎ構造における一対の木部材の一部を示す平面図であり、図１７は、図１５の次ぎ構造を分解して示す分解斜視図である。
【００６６】
図１５〜図１７において、この実施形態においても、第１木部材３０２と第２木部材３０４は実質上同一に形成され、図１６及び図１７から理解されるように、第１木部材３０２を反対側にすることによって第２木部材３０４として用いることができる。
【００６７】
接ぎ構造３０６の第１木部材３０２（第２木部材３０４）の一端部には、下部を除く部位に第１組付突部３０８（第２組付突部３１０）及び第１組付凹部３１２（第２組付凹部３１４）が設けられ、第１組付突部３０８（第２組付突部３１０）の一側面側、即ち図１５及び図１７において手前側（図１５及び図１７において背面側）に第１組付凹部３１２（第２組付凹部３１４）が配設されている。第１組付突部３０８（第２組付突部３１０）は長手方向一端側に突出し、第１組付凹部３１２（第２組付凹部３１４）は長手方向他端側に延びている。
【００６８】
この実施形態では、第１木部材３０２の第１組付突部３０８の形状は、第２木部材３０４の第２組付凹部３１４の形状に対応し、また第２木部材３０４の第２組付突部３１０の形状は、第１木部材３０２の第１組付凹部３１２の形状に対応している。
【００６９】
この第１木部材３０２（第２木部材３０４）には第１組付凹部３１６（第２組付凹部３１８）が設けられ、この第１組付凹部３１６（第２組受け凹部３１８）は、第１木部材３０２（第２木部材３０４）の上面から下面まで延びている。第１組付凹部３１６（第２組付凹部３１８）は断面が三角状に形成され、第１組付突部３０８（第２組付突部３１０）の一側面から第１組付凹部３２０（第２組付凹部３２２）の側面にわたって設けられ、その一端側に第１作用面３２０（第２作用面３２２）が設けられている。
【００７０】
第１木部材３０２及び第２木部材３０４を後述するように組み合わせると、第１木部材３０２の第１組付凹部３１８と第２木部材３０４の第２組付凹部３２０とが相互に協働して組付貫通孔３２４（図１５）を規定する。この組付貫通孔３２４は断面形状が平行四辺形状となり、この組付貫通孔３２４の一端面が第１作用面３２０として機能し、その他端面が第２作用面３２２として機能する。
【００７１】
接ぎ構造３０６は、更に、組付貫通孔３２４に挿入固定される組付挿入部材３２６を備え、組付挿入部材３２６の断面形状は、組付貫通孔３２４に対応して平行四辺形状に形成されている。
【００７２】
上述した接ぎ構造３０６では、第１木部材３０２及び第２木部材３０４は、次のようにして接合される。まず、第１木部材３０２に対して第２木部材３０４を長手方向に相対的に移動させて第１木部材３０２の一端部と第２木部材３０４の一端部とを相互に組み合わせる。かく組み合わせると、第１木部材３０２の第１組付突部３０８が第２木部材３０４の第２組付凹部３１４に組み合わされるとともに、第２木部材３０４の第２組付突部３１０が第１木部材３０２の第１組付凹部３１２に組み合わされ、第１組付突部３０８は、第２組付凹部３１４を規定する第２木部材３０４の下部３０４ａによって支持され、第２組付突部３１０は、第１組付凹部３１２を規定する第１機部材３０２の下部３０２ａによって支持される。
【００７３】
次いで、組付貫通孔３２４に組付挿入部材３２６を挿入固定する。かくすると、組付挿入部材３２６の片側面が第１組付凹部３１６の第１作用面３２０に作用するとともに、その他側面が第２組付凹部３１８の第２作用面３２２に作用し、かかる組付挿入部材３２６によって、第１組付突部３０８が第２組付凹部３１４に食い込むように作用するとともに、第２組付突部３１０が第１組付凹部３１４に食い込むように作用し、第１木部材３０２と第２木部材３０４とを強固に組み合わせることができる。このように接合された木部材も校木、梁、桁などとして用いることができる。
【００７４】
屋根構造の構成
次に、図１８及び図１９を参照して、建造物本体４の屋根構造８について説明する。図１８は、板葺きの屋根構造の一部を示す部分斜視図であり、図１９は、図１８の屋根構造の屋根本体部及びそれに関連する構成を示す部分斜視図である。
【００７５】
図１８及び図１９において、この屋根構造８においては、建造物本体４の壁部構造６の上方開口を覆うように野地板４０２が設けられる。野地板４０２は細長い木板から構成され、その一側部（図１８において左側部）に突部４０４が設けられ、その他側部（図１８において右側部）に凹部４０６が設けられ、突部４０４と凹部４０６とを組み合わせながら取り付けられる。
【００７６】
この実施形態では、野地板４０２の上面全域に杉の皮４０８が敷き詰められ、杉の皮４０８の上面に、横方向（図１８において左右方向）に間隔をおいて複数の縦部材４１０が配設され、これら縦部材４１０を釘などにより野地板４０２に取り付けることによって、杉の皮４０８が野地板４０２の表面に取り付けられる。これら縦部材４１０は屋根の傾斜方向に延び、縦部材４１０の上側に、屋根の傾斜方向（縦部材４１０の長手方向）に間隔をおいて複数の横部材４１２が設けられ、横部材４１２は釘などにより縦部材４１０に取り付けられ、これら横部材４１２の上側に、図１８に一点鎖線で示すように屋根本体部４１４が取り付けられる。
【００７７】
この屋根本体部４１４は、複数の木製プレート４１６から構成される。木製プレート４１６の両側面には接続凹部４１８が設けられ、これら接続凹部４１８は長手方向にその一端から他端まで延びている。この実施形態では、横方向に隣接する一対の木製プレート４１６間に接続部材４２０が介在され、これら接続部材４２０の両側部にも、木製プレート４１６の接続凹部４１８に対応して、接続凹部４２２が設けられ、これら接続凹部４２２は長手方向に一端から他端まで延びている。木製プレート４１６と接続部材４２０は、それらの接続凹部４１８，４２２に細長い接続具４２４を挿入することによって相互に接続固定される。尚、上述した構成に代えて、細長い接続金具などを用いて木製プレート４１６と接続部材４２０とを固定的に接続するようにしてもよい。
【００７８】
木製プレート４１６と接続部材４２０との接続部を覆うように木製上プレート４２６が設けられている。この形態では、接続部材４２０の厚さは木製プレート４１６の厚さよりも大きく、この接続部材４２０の上部が木製プレート４２６の上面より上方に突出している。一方、木製上プレート４２６の下面には、この接続部材４２０に対応して受入凹部４２８が設けられ、かかる受入凹部４２８に接続部材４２０の上部が受け入れられるように構成される。従って、木製上プレート４２６は、接続部材４２０によって横方向の位置決めが行われ、その両側部によって、隣接する一対の木製プレート４１６と接続部材４２０との接続部を覆い、かかる接続部からの雨水の侵入を防止することができる。これら木製プレート４１６、接続部材４２０及び木製上プレート４２６は、図１９において左から右に向けて順に組み合わせ、釘４３４，４３６を打ち付けて固定することによって取り付けることができる。
【００７９】
木製プレート４１６及び木製上プレート４２６の上面には、幅方向に間隔をおいて複数の雨水流れ用凹部４３０，４３２が設けられ、雨水流れ用凹部４３０，４３２は長手方向に一端から他端まで直線状に延びている。このようなプレート４１６，４２６を用いることによって、屋根に降った雨水は、雨水流れ用凹部４３０，４３２に流入して流れ、降った雨水の流下が促進される。尚、これら雨水流れ用凹部４３０，４３２は、プレート４１６、４２６の木目方向に設けるのが望ましい。
【００８０】
このような木製プレート４１６は、横方向においては接続部材４２０を介して並べて配設され、また屋根の傾斜方向においては屋根の傾斜方向上側の木製プレート４１６の下端部が傾斜方向下側の木製プレート４１６の上端部の上面に重なるように配設され、釘４３４を用いて横部材４１２に固定される。また、木製上プレート４２６は、接続部材４２０の内側から釘４３６を打ち付けることによって接続部材４２０に取り付けられ、この木製上プレート４２６によって、木製プレート４１６に打ち付けた釘４３４を外側から覆うようにする。このように構成することによって、図１９から理解される如く、プレート４１６，４２６を固定するための釘４３４，４３６が外部から見えず、建造物本体４の外観をきれいにすることができる。
【００８１】
以上、本発明に従う木造建造物の実施形態について説明したが、本発明はかかる実施形態に限定されず、本発明の範囲を逸脱することなく種々の変形乃至修正が可能である。
【図面の簡単な説明】
【００８２】
【図１】一実施形態の木造建造物を示す正面図。
【図２】図１の木造建造物の側面図。
【図３】図２におけるＩＩＩ−ＩＩＩ線による断面図。
【図４】図３の壁部構造の一部を矢印Ａで示す方向から見た部分断面図。
【図５】図３の壁部構造の一部を矢印Ｂで示す方向から見た部分断面図。
【図６】図４の壁部構造における第１木部材の重なり部位を拡大して示す部分拡大断面図。
【図７】図４の壁部構造における第１木部材の一端部を示す部分斜視図。
【図８】図７の第１木部材の端部を示す正面図。
【図９】図７の第１木部材の右側面図。
【図１０】第１木部材に第２木部材を組み付けるときの状態を示す部分斜視図。
【図１１】第２木部材に第１木部材を組み付けるときの状態を示す部分斜視図。
【図１２】木部材の接ぎ構造の一部を示す部分斜視図。
【図１３】相互に接続される一対の木部材の一部を示す平面図。
【図１４】図１２の次ぎ構造を分解して示す分解斜視図。
【図１５】木部材の他の形態の接ぎ構造の一部を示す部分斜視図。
【図１６】図１５の接ぎ構造における一対の木部材の一部を示す平面図。
【図１７】図１５の次ぎ構造を分解して示す分解斜視図。
【図１８】板葺きの屋根構造の一部を示す部分斜視図。
【図１９】図１８の屋根構造における屋根本体部及びそれに関連する構成を示す部分斜視図。
【符号の説明】
【００８３】
４  建造物本体
６  壁部構造
８  屋根構造
２２  第１木部材
２４  第２木部材
２６  第１組付突部
２８  第２組付突部
５０，５２  上収容凹部
５４，５６  下収容凹部
５８，６０  流入阻止部材
６２，６４  上傾斜面
６６，６８  下傾斜面
７４  第１締結手段
９２  第２締結手段
２０２，３０２  第１木部材
２０４，３０４  第２木部材  
２０８  第１切欠き部
２１０  第２切欠き部
２１２，３０８  第１組付突部
２１４，３１０  第２組付突部
２４４，３２６  組付挿入部材
３１２  第１組付凹部
３１４  第２組付凹部
【図１】
2008038491.tif 000003
【図２】
2008038491.tif 000004
【図３】
2008038491.tif 000005
【図４】
2008038491.tif 000006
【図５】
2008038491.tif 000007
【図６】
2008038491.tif 000008
【図７】
2008038491.tif 000009
【図８】
2008038491.tif 000010
【図９】
2008038491.tif 000011
【図１０】
2008038491.tif 000012
【図１１】
2008038491.tif 000013
【図１２】
2008038491.tif 000014
【図１３】
2008038491.tif 000015
【図１４】
2008038491.tif 000016
【図１５】
2008038491.tif 000017
【図１６】
2008038491.tif 000018
【図１７】
2008038491.tif 000019
【図１８】
2008038491.tif 000020
【図１９】
2008038491.tif 000021